(57)【特許請求の範囲】
【請求項１】
管理対象物の情報を有したカードを保持しかつ前記管理対象物又は前記管理対象物を搬送するための器具に取り付けられる樹脂成形品のカードホルダーであって、
前記カードを四方から囲むカード収容枠と、
前記カード収容枠の内面前端縁から内側に張り出し、前記カードの前側への脱落を防止する前側脱落防止柵と、
前記カード収容枠の内面後端縁から内側に張り出し、前記前側脱落防止柵と前後方向で重ならない位置に配置され、前記カードの後側への脱落を防止する後側脱落防止壁とからなり、
前記前側脱落防止柵は、前記カード収容枠の下辺部から上辺部寄り位置まで延びた複数の縦長帯状壁と、それら複数の縦長帯状壁の上端部の間を連絡しかつ両端部が前記カード収容枠の両方の側辺部に接続された横長帯状壁とからなり、
前記横長帯状壁のうち前記カード収容枠の各側辺部との交差部は、前記縦長帯状壁との交差部より下方に配置され、
前記後側脱落防止壁は、前記縦長帯状壁同士の間及び前記縦長帯状壁と前記カード収容枠の側辺部との間に配置されて、前記カード収容枠の下辺部から前記横長帯状壁寄り位置まで延びていることを特徴とするカードホルダー。
【請求項２】
前記カード収容枠の上端側両角部における内面後端縁に、そのカード収容枠の上辺部と各側辺部との間を連絡する１対の後側上端角部壁を設けたことを特徴とする請求項１に記載のカードホルダー。
【請求項３】
前記後側脱落防止壁の上端面を、上下方向で前記後側上端角部壁の下端面に対して同じ位置又は高い位置に配置すると共に、
前記後側脱落防止壁の上端部における前面を、前記後側上端角部壁の前面より後方に配置したことを特徴とする請求項２に記載のカードホルダー。
【請求項４】
前記横長帯状壁のうち前記カード収容枠の各側辺部と前記縦長帯状壁との間を連絡する部分をクランク形状に屈曲させて１対のクランク形屈曲部を設けたことを特徴とする請求項１乃至３の何れかに記載のカードホルダー。
【請求項５】
前記各縦長帯状壁の後面に後面係止突部が突出形成され、
前記後面係止突部には、その上端部から下方に向かうに従って徐々に後方に迫り出した傾斜面と、下端部に配置されて前記縦長帯状壁の後面から垂直に立ち上がった下端係止面とが備えられたことを特徴とする請求項１乃至４の何れかに記載のカードホルダー。
【請求項６】
前記カード収容枠の下端側両角部における内面前端縁に、そのカード収容枠の下辺部と各側辺部との間を連絡する１対の前側下端角部壁を設けたことを特徴とする請求項１乃至５の何れかに記載のカードホルダー。
【発明の詳細な説明】
【技術分野】
【０００１】
本発明は、管理対象物の情報を有したカードを保持しかつ管理対象物又は管理対象物を搬送するための器具に取り付けられる樹脂成形品のカードホルダーに関する。
【背景技術】
【０００２】
図１２に示した従来のカードホルダーは、横長の底板１における前端寄り位置と後端寄り位置とから前面壁３と後面壁４とを起立して備えると共に、底板１の横方向の両端部から１対の側部壁２，２を起立して備えている。また、後面壁４の上縁部における左右の両端部からは、前方に１対の天井壁５，５が直角曲げされている。そして、前面壁３と後面壁４とによってカードの前後方向への移動を規制し、底板１、側部壁２及び天井壁５によってカードの上下左右方向への移動を規制している。
【０００３】
また、前面壁３と後面壁４とは前後方向で重ならないように配置され、これによりこのカードホルダー製造用の樹脂成形金型が、カードホルダーの前後方向で型開きされるようになっている。具体的には、前面壁３は、カードの両側縁部に対向する１対の側縁係止壁３Ａ，３Ａと、カードの下縁部に対向する下縁係止壁３Ｂとからなる一方、後面壁４は、側縁係止壁３Ａと下縁係止壁３Ｂとの対向部分に開口を有した平板形状になっている。
【０００４】
このカードホルダーにカードを収容するには、天井壁５，５と側縁係止壁３Ａ，３Ａとの間のカード挿入口に対して斜め上方からカードを挿入する。このとき、カードは、天井壁５の前縁部と側縁係止壁３Ａの上縁部と後面壁４との当接するので、上下方向に湾曲変形させて挿入する必要がある（例えば、特許文献１参照）。
【特許文献１】実公平０５−０４０５３４号公報（第１図、第２図）
【発明の開示】
【発明が解決しようとする課題】
【０００５】
ところで、上記カードは、カードホルダーに挿入する際に上下方向で反った状態に塑性変形する場合がある。また、カードは例えば熱や湿気によって横方向で反った状態に変形する場合もある。これらの場合、上記した従来のカードホルダーでは、カードの上端部が側縁係止壁３Ａと天井壁５との間から外側に突出して抜け易くなったり、両方の側縁係止壁３Ａ，３Ａの間からカードにおける横方向中央上端部が前方に迫り出し、側縁係止壁３Ａ，３Ａとの係止が浅くなって、カードがカードホルダーから脱落する事態が生じ得た。また、そのような事態を防ぐために、側縁係止壁３Ａや下縁係止壁３Ｂを大きくすると、カードの前面に記載された情報を視認することができなくなるという問題が生じる。
【０００６】
本発明は、上記事情に鑑みてなされたもので、カードの前面を露出させた状態で従来より高い保持力でカードを保持可能なカードホルダーの提供を目的とする。
【課題を解決するための手段】
【０００７】
上記目的を達成するためになされた請求項１の発明に係るカードホルダーは、管理対象物の情報を有したカードを保持しかつ管理対象物又は管理対象物を搬送するための器具に取り付けられる樹脂成形品のカードホルダーであって、カードを四方から囲むカード収容枠と、カード収容枠の内面前端縁から内側に張り出し、カードの前側への脱落を防止する前側脱落防止柵と、カード収容枠の内面後端縁から内側に張り出し、前側脱落防止柵と前後方向で重ならない位置に配置され、カードの後側への脱落を防止する後側脱落防止壁とからなり、前側脱落防止柵は、カード収容枠の下辺部から上辺部寄り位置まで延びた複数の縦長帯状壁と、それら複数の縦長帯状壁の上端部の間を連絡しかつ両端部がカード収容枠の両方の側辺部に接続された横長帯状壁とからなり、横長帯状壁のうちカード収容枠の各側辺部との交差部は、縦長帯状壁との交差部より下方に配置され、後側脱落防止壁は、縦長帯状壁同士の間及び縦長帯状壁とカード収容枠の側辺部との間に配置されて、カード収容枠の下辺部から横長帯状壁寄り位置まで延びているところに特徴を有する。
【０００８】
請求項２の発明は、請求項１に記載のカードホルダーにおいて、カード収容枠の上端側両角部における内面後端縁に、そのカード収容枠の上辺部と各側辺部との間を連絡する１対の後側上端角部壁を設けたところに特徴を有する。
【０００９】
請求項３の発明は、請求項２に記載のカードホルダーにおいて、後側脱落防止壁の上端面を、上下方向で後側上端角部壁の下端面に対して同じ位置又は高い位置に配置すると共に、後側脱落防止壁の上端部における前面を、後側上端角部壁の前面より後方に配置したところに特徴を有する。
【００１０】
請求項４の発明は、請求項１乃至３の何れかに記載のカードホルダーにおいて、横長帯状壁のうちカード収容枠の各側辺部と縦長帯状壁との間を連絡する部分をクランク形状に屈曲させて１対のクランク形屈曲部を設けたところに特徴を有する。
【００１１】
請求項５の発明は、請求項１乃至４の何れかに記載のカードホルダーにおいて、各縦長帯状壁の後面に後面係止突部が突出形成され、後面係止突部には、その上端部から下方に向かうに従って徐々に後方に迫り出した傾斜面と、下端部に配置されて縦長帯状壁の後面から垂直に立ち上がった下端係止面とが備えられたところに特徴を有する。
【００１２】
請求項６の発明は、請求項１乃至５の何れかに記載のカードホルダーにおいて、カード収容枠の下端側両角部における内面前端縁に、そのカード収容枠の下辺部と各側辺部との間を連絡する１対の前側下端角部壁を設けたところに特徴を有する。
【発明の効果】
【００１３】
［請求項１の発明］
請求項１のカードホルダーは、カード収容枠によってカードを四方から囲み、そのカード収容枠の内面から内側に張り出した前側脱落防止柵と後側脱落防止壁とによってカードを前後から挟んで保持する。ここで、前側脱落防止柵は、カード収容枠の下辺部から上辺部寄り位置まで延びた複数の縦長帯状壁と、それらの上端部の間を連絡しかつカード収容枠の両方の側辺部に両端部が接続された横長帯状壁とからなる。そして、横長帯状壁のうちカード収容枠の各側辺部との交差部が、縦長帯状壁との交差部より下方に位置しているので、その下方側の交差部を支点にして横長帯状壁の両端部を捻り、横長帯状壁の中間部を前方に引き出すことができる。これにより、横長帯状壁とカード収容枠の上辺部との間からカード収容枠内にカードを挿入することができる。また、横長帯状壁が弾性復元すれば横長帯状壁の中間部とカード収容枠の上辺部との間隔が狭くなるので、カードを確実に抜け止めすることができる。
【００１４】
また、前側脱落防止柵を構成する横長帯状壁はカード収容枠の横方向の全体に延び、かつ、複数の縦長帯状壁はカード収容枠の下辺部から上辺部寄り位置まで延びているので、これら横長帯状壁及び縦長帯状壁は、カードの前面における横方向全体と上下方向の略全体に亘って宛がわれることになる。また、複数の後側脱落防止壁は、縦長帯状壁同士の間及び縦長帯状壁とカード収容枠の側辺部との間に配置されて、カード収容枠の下辺部から横長帯状壁寄り位置まで延びているので、これら複数の後側脱落防止壁は、カードの後面における横方向と上下方向の略全体に亘って宛がわれることになる。
【００１５】
これらにより、本発明のカードホルダーは、カード収容枠内に収容したカードの略全体を前後方向で挟んでカードの湾曲変形を防ぎ、従来より高い保持力でカードを保持することが可能になる。しかも、カードの前面は、前側脱落防止柵を通して露出するのでカードの前面に印字された情報を視認することができ、カードがＩＣタグである場合には、無線状態を良好に保つがことができる。
【００１６】
［請求項２の発明］
本発明のカードホルダーでは、上記したように、横長帯状壁のうちカード収容枠の各側辺部との交差部を、縦長帯状壁との交差部より下方に配置したので、カード収容枠の上側両角部と横長帯状壁との間に空きスペースが生じる。これにより、請求項２のように、カード収容枠の上端側両角部における内面後端縁に、そのカード収容枠の上辺部と各側辺部との間を連絡する１対の後側上端角部壁を設けることができる。そして、カード収容枠の上辺部と横長帯状壁との間からカード収容枠内にカードを挿入した際に、そのカードの下端両角部を１対の後側上端角部壁により下方に案内することができる。また、１対の後側上端角部壁によってカード収容枠を補強することもできる。
【００１７】
［請求項３の発明］
請求項３のカードホルダーでは、後側脱落防止壁の上端面が、上下方向で１対の後側上端角部壁の下端面に対して同じ位置又は高い位置に配置されると共に、後側脱落防止壁の上端部における前面が、１対の後側上端角部壁の前面より後方に配置されているので、カードがカード収容枠内に挿入された際に後側上端角部壁から後側脱落防止壁へとスムーズに受け渡され、カードの挿入作業を容易に行うことができる。
【００１８】
［請求項４の発明］
請求項４のカードホルダーでは、横長帯状壁のうちカード収容枠の各側辺部と縦長帯状壁との間を連絡する部分をクランク形状に屈曲させてクランク形屈曲部を設けたので、横長帯状壁のうちクランク形屈曲部の下段側で水平に延びた部分を捻るようにして、横長帯状壁の中間部を前側に移動することができる。これにより、前側脱落防止柵とカード収容枠の上辺部との間の隙間の開閉動作を安定して行うことができる。
【００１９】
［請求項５の発明］
請求項５のカードホルダーでは、上下方向の寸法が比較的小さいサイズのカードをカードホルダーに収容した場合、そのカードをカード収容枠の下辺部と縦長帯状壁の後面に突出形成された後面係止突部との間に挟んで安定させることができる。
【００２０】
［請求項６の発明］
請求項６の構成によれば、１対の前側下端角部壁によってカード収容枠の下辺部と各側辺部との間を連絡してカード収容枠を補強することができかつ、カードをカードホルダー内に安定させることができる。
【発明を実施するための最良の形態】
【００２１】
［第１実施形態］
以下、本発明の一実施形態を図１〜図８に基づいて説明する。本実施形態のカードホルダー１０は、合成樹脂の成形品であって、図１（Ａ）に示すように、横長長方形のカード収容枠１１の内側に前側脱落防止柵２０、第１及び第２の後側脱落防止壁１４，１５等を備えてなる。そして、図２に示すように、カードホルダー１０の後面全体を荷物搬送用のコンテナー１００の外側面に宛がって取り付けられ、それらコンテナーにて搬送される荷物（本発明の「管理対象物」に相当する）を管理するためのカードを保持する。
【００２２】
カードホルダー１０における各部位の具体的な構成は以下の通りである。図１（Ａ）に示すように、カード収容枠１１の各辺は角柱構造をなし、カード収容枠１１の内面は水平面又は鉛直面と平行になっている。そのカード収容枠１１のうち内面前端縁から内側に前側脱落防止柵２０と１対の前側下端角部壁１３，１３とが張り出している。
【００２３】
前側脱落防止柵２０は、カード収容枠１１の下辺部１１Ｄから上辺部１１Ｕ寄り位置まで延びた複数の縦長帯状壁１６と、それら複数の縦長帯状壁１６の上端部の間を連絡しかつ両端部がカード収容枠１１の両方の側辺部１１Ｓ，１１Ｓに接続された横長帯状壁１８とからなる。
【００２４】
複数の縦長帯状壁１６は、例えば、カード収容枠１１の下辺部１１Ｄ全体を長手方向で４等分する３つの位置に等間隔に配置されて鉛直方向に真っ直ぐ延び、全ての縦長帯状壁１６が均一の同じ高さになっている。また、各縦長帯状壁１６の板厚方向は、カード収容枠１１の前後方向（カード収容枠１１の内側空間が開放した方向）に向けられ、これにより縦長帯状壁１６はカード収容枠１１の前後方向に撓む。
【００２５】
図１（Ｂ）に示すように、各縦長帯状壁１６の後面には、後面係止突部１７が形成されている。その後面係止突部１７は、縦長帯状壁１６の上端部から上下方向の中間位置に亘った範囲に配置されている。そして、後面係止突部１７には、その上端部から下方に向かうに従って徐々に後方に迫り出した傾斜面１７Ａと、下端部に配置されて縦長帯状壁１６の後面から垂直後方に立ち上がった下端係止面１７Ｂと、傾斜面１７Ａの下端部から下端係止面１７Ｂまで鉛直方向に垂下した後方押圧面１７Ｃとが備えられている。
【００２６】
なお、図３（Ｃ）に示すように、カード収容枠１１の前後方向において、後方押圧面１７Ｃと後述する第２の後側脱落防止壁１５との間隔Ｌ１は、縦長帯状壁１６の後面からの下端係止面１７Ｂの突出量Ｌ２よりも小さくなっている。
【００２７】
図１（Ａ）に示すように、横長帯状壁１８の板厚方向は、カード収容枠１１の前後方向に向けられている。そして、横長帯状壁１８の前面は縦長帯状壁１６及びカード収容枠１１の前面と面一になっており、横長帯状壁１８の後面は、図１（Ｂ）に示すように、縦長帯状壁１６のうち後面係止突部１７を除いた後面及び後述する前側下端角部壁１３の後面と面一になっている。
【００２８】
横長帯状壁１８の中間部には、各縦長帯状壁１６の上端部がＴ字形に交差しかつ、横長帯状壁１８の両端部は、カード収容枠１１の側辺部１１Ｓに横向きのＴ字形に交差している。また、横長帯状壁１８のうちカード収容枠１１の各側辺部１１Ｓとの交差部１８Ｐ１は、縦長帯状壁１６との交差部１８Ｐ２より下方に配置されている。そして、横長帯状壁１８のうちカード収容枠１１の両側辺部１１Ｓ，１１Ｓと両端の縦長帯状壁１６，１６との間を連絡する部分をクランク形状に屈曲させて１対のクランク形屈曲部２１，２１が設けられている。
【００２９】
１対の前側下端角部壁１３，１３は、カード収容枠１１の下端側両角部に配置されている。そして、各前側下端角部壁１３は縦長の長方形状をなし、カード収容枠１１の下辺部１１Ｄと各側辺部１１Ｓとの間を連絡している。
【００３０】
カード収容枠１１のうち内面後端縁からは、１対ずつの第１及び第２の後側脱落防止壁１４，１５と後側上端角部壁１２とが内側に張り出している。
【００３１】
１対の第１の後側脱落防止壁１４，１４は、両端の縦長帯状壁１６，１６とカード収容枠１１の両側辺部１１Ｓ，１１Ｓとの間に配置され、カード収容枠１１の下辺部１１Ｄから横長帯状壁１８寄り位置まで延びている。また、各第１の後側脱落防止壁１４には前後方向で前側下端角部壁１３と重なる位置に矩形窓１４Ｗが貫通形成されている。さらに、第１の後側脱落防止壁１４の上端部は、横長帯状壁１８のクランク形屈曲部２１に対応した段付き形状になっている。具体的には、第１の後側脱落防止壁１４の上縁部の外寄り略半分が、クランク形屈曲部２１の下段側で水平に延びた横長帯状壁１８の下段水平部１８Ａに隣接して水平方向に延び、第１の後側脱落防止壁１４の上縁部の内寄り略半分が、クランク形屈曲部２１の上段側で水平に延びた横長帯状壁１８の上段水平部１８Ｂに隣接して水平方向に延び、さらに、第１の後側脱落防止壁１４の横方向の中間部が、クランク形屈曲部２１の中間部で上下方向に延びた横長帯状壁１８の段差鉛直部１８Ｃに隣接して上下方向に延びている。
【００３２】
また、第１の後側脱落防止壁１４のうち横長帯状壁１８の上段水平部１８Ｂと縦長帯状壁１６とに挟まれた上端突片部１４Ｔには、図３（Ａ）に示すように、その上端縁の前面を第１の後側脱落防止壁１４の上端面１４Ｊに向かうに従って後方に傾斜させてガイド面１４Ｇが形成されている。
【００３３】
なお、第１の後側脱落防止壁１４には、カードホルダー１０をコンテナー１００の外面に固定するための固定部１９が設けられている。固定部１９は、例えば、第１の後側脱落防止壁１４の前面側を円形に陥没させて、その底部の中心に貫通孔を形成してなる。そして、コンテナー１００の外面から突出した図示しない突起を第１の後側脱落防止壁１４の後面側から固定部１９に貫通させ、その突起の先端を加熱変形して抜け止めすることで、カードホルダー１０がコンテナー１００に固定される。
【００３４】
図１（Ａ）に示すように、１対の第２の後側脱落防止壁１５，１５は、隣り合った縦長帯状壁１６，１６の間それぞれ配置され、カード収容枠１１の下辺部１１Ｄから横長帯状壁１８寄り位置まで延び、縦長の長方形になっている。また、第２の後側脱落防止壁１５の前面は、上縁部を除いた全体が第１の後側脱落防止壁１４及び後側上端角部壁１２の前面と面一になっており、図１（Ｂ）に示すように、各第２の後側脱落防止壁１５の後面は第１の後側脱落防止壁１４及びカード収容枠１１及び後述する後側上端角部壁１２の後面と面一になっている。さらに、第２の後側脱落防止壁１５の上端面１５Ｊは、第１の後側脱落防止壁１４の上端面１４Ｊと面一になっている。また、図３（Ｂ）に示すように、その第２の後側脱落防止壁１５の上端縁には、その前面を第２の後側脱落防止壁１５の上端面１５Ｊに向かうに従って後方に傾斜させてガイド面１５Ｇが形成されている。その各第２の後側脱落防止壁１５のガイド面１５Ｇは、図１（Ａ）に示すように、第１の後側脱落防止壁１４のガイド面１４Ｇと面一になっている。
【００３５】
ところで、上記したように横長帯状壁１８のうちカード収容枠１１の各側辺部１１Ｓとの交差部１８Ｐ１を、縦長帯状壁１６との交差部１８Ｐ２より下方に配置したことにより、カード収容枠１１の上端側両角部と横長帯状壁１８との間には空きスペースが形成されている。そして、それら空きスペースに１対の後側上端角部壁１２，１２が設けられている。
【００３６】
即ち、１対の後側上端角部壁１２，１２は、カード収容枠１１の上端側両角部に配置され、そのカード収容枠１１の上辺部１１Ｕと各側辺部１１Ｓとの間を連絡している。各後側上端角部壁１２は略正方形をなし、横長帯状壁１８における段差鉛直部１８Ｃとカード収容枠１１における側辺部１１Ｓとに横方向から挟まれた位置に配置されている。また、図３（Ａ）及び図３（Ｂ）に示すように、後側上端角部壁１２は全体が均一な厚さをなし、後側上端角部壁１２の下端面１２Ｋは、第１の後側脱落防止壁１４の上端面１４Ｊ及び後側脱落防止壁１５の上端面１５Ｊと上下方向で同じ位置に配置されている。なお、これら１対の後側上端角部壁１２，１２と前述した前側下端角部壁１３，１３によってカード収容枠１１は補強されている。
【００３７】
なお、カード収容枠１１の前端側に配置された前側脱落防止柵２０及び前側下端角部壁１３と、カード収容枠１１の後端側に配置された第１及び第２の後側脱落防止壁１４，１５及び後側上端角部壁１２とは、全て前後方向で互いに重ならないように配置されている。これにより、カードホルダー１０をこれによりこのカードホルダー１０を成形するための樹脂成形金型が、カードホルダー１０の前後方向で型開きされるようになっている。
【００３８】
本実施形態のカードホルダー１０の構成に係る説明は以上である。次に、そのカードホルダー１０の作用効果について説明する。このカードホルダー１０は、カード収容枠１１の内側に丁度収まる通常の大きさのカード９０Ｗ（図６（Ａ）参照）と、それの通常のカード９０Ｗに比べて上下のサイズが比較的小さい小型のカード９０Ｖ（図４（Ａ）参照）を保持することができる。
【００３９】
通常のカード９０Ｗは、図６（Ａ）に示されており、例えば、荷物のナンバー（製造番号、ロット番号等）、個数、搬送元、搬送先等の荷物情報を文字又はバーコード等にして前面に印字した例えば、紙製のカードである。一方、この小型のカード９０Ｖは、例えば、図４（Ａ）に示されており、四角形のフィルム回路基盤９１に、例えば、コイルアンテナ９２とＩＣチップ９３と実装して樹脂フィルム９４でラミネートしてなるＩＣタグであって、荷物情報と共に電力を無線で受け、それに対して荷物情報を無線返信するようになっている。
【００４０】
まず、図４（Ａ）に示した小型のカード９０Ｖをカードホルダー１０に保持させる場合について説明する。カード９０Ｖをカードホルダー１０に保持させるには、カードホルダー１０のうちカード収容枠１１の上辺部１１Ｕと前側脱落防止柵２０における横長帯状壁１８と間からカード９０Ｖをカード収容枠１１内に挿入する。
【００４１】
ここで、前側脱落防止柵２０の横長帯状壁１８は、通常、図３（Ｂ）に示すように、カード収容枠１１の上辺部１１Ｕにおける下面に隣接配置されているので、この状態のままではカード９０Ｖをカード収容枠１１内に挿入することができない。そこで、図５（Ａ）に示すように、前側脱落防止柵２０の上端部を前側に引く。ここで、図１（Ａ）に示すように、前側脱落防止柵２０の上端部を構成する横長帯状壁１８のうち、カード収容枠１１の各側辺部１１Ｓとの交差部１８Ｐ１は、縦長帯状壁１６との交差部１８Ｐ２より下方に位置しているので、前側脱落防止柵２０の上端部を前側に引くと、カード収容枠１１の各側辺部１１Ｓとの交差部１８Ｐ１を支点にして横長帯状壁１８の両端部が捻られ、横長帯状壁１８の中間部を前方に引き出すことができる。
【００４２】
より詳細には、本実施形態のカードホルダー１０では、横長帯状壁１８のうちカード収容枠１１の各側辺部１１Ｓと縦長帯状壁１６との間を連絡する部分にクランク形屈曲部２１を設けたので、横長帯状壁１８のうちクランク形屈曲部２１の下段側で水平に延びた下段水平部１８Ａを捻るようにして、横長帯状壁１８の中間部を前側に移動することができる。そして、図５（Ａ）及び図５（Ｂ）に示すように、カード９０Ｖを、前側脱落防止柵２０における横長帯状壁１８とカード収容枠１１の上辺部１１Ｕとの間からカード収容枠１１の内部に挿入することができる。
【００４３】
また、カード９０Ｖをカード収容枠１１内で下方に移動すると、その途中でカード９０Ｖが後面係止突部１７における傾斜面１７Ａに摺接し、これにより縦長帯状壁１６が前方に撓む。そして、図５（Ｃ）に示すように、カード９０Ｖが後面係止突部１７を通過してカード収容枠１１の下端部に到達すると、図５（Ｄ）に示すように、縦長帯状壁１６が弾性復元して、カード９０Ｖに後面係止突部１７の下端係止面１７Ｂが係止する。ここで、カード９０Ｖの厚さが、カード収容枠１１の前後方向における後方押圧面１７Ｃと第２の後側脱落防止壁１５との間隔Ｌ１より厚い場合には、カード９０Ｖが後面係止突部１７より下方に収まった状態から後面係止突部１７を乗り越えて上方に移動することが無くなる。以上により、小型のカード９０Ｖは、図４（Ｂ）に示すように、カード収容枠１１内の下辺部１１Ｄと後面係止突部１７とによって上下方向から挟まれてカード収容枠１１内で安定した状態に保持される。
【００４４】
次に、図６（Ａ）に示した通常のカード９０Ｗをカードホルダー１０に保持させる場合について説明する。カード９０Ｗをカードホルダー１０に保持させる場合も、前側脱落防止柵２０の上端部を前側に引いてカード収容枠１１の上辺部１１Ｕから前方に引き離して、それら前側脱落防止柵２０の上端部とカード収容枠１１の上辺部１１Ｕとの間からカード収容枠１１の内部に挿入する。ここで、カード９０Ｗの下端部をカード収容枠１１内に挿入する際に、図７に示すように、カード９０Ｗの下端部を１対の後側上端角部壁１２，１２に前面に斜め上方から当接させれば、それら後側上端角部壁１２，１２によりカード９０Ｗの下端部が下方に案内されて容易にカード９０Ｗを挿入することができる。
【００４５】
そして、本実施形態のカードホルダー１０では、図３（Ａ）及び図３（Ｂ）に示すように、第１及び第２の後側脱落防止壁１４，１５の上端面１４Ｊ，１５Ｊが、上下方向で１対の後側上端角部壁１２，１２の下端面１２Ｋに対して同じ位置に配置され、第１及び第２の後側脱落防止壁１４，１５の上端部前面のガイド面１４Ｇ，１５Ｇが、１対の後側上端角部壁１２，１２の前面より後方に位置しているので、カード９０Ｗはカード収容枠１１内に挿入されたときに後側上端角部壁１２から第１及び第２の後側脱落防止壁１４，１５へとスムーズに受け渡され（図７参照）、この点においてもカード９０Ｗの挿入作業を容易に行うことができる。
【００４６】
そして、カード９０Ｗの挿入が完了すると、図６（Ｂ）に示すように、横長帯状壁１８が弾性復元して横長帯状壁１８の中間部とカード収容枠１１の上辺部との間隔が狭くなり、カード９０Ｗを確実に抜け止めすることができる。また、図８に示すように、後面係止突部１７における後方押圧面１７Ｃがカード９０Ｗの前面に面当接してカード９０Ｗをカード収容枠１１内で安定させることができる。
【００４７】
ここで、前側脱落防止柵２０を構成する横長帯状壁１８はカード収容枠１１の横方向の全体に延び、かつ、前側脱落防止柵２０を構成する複数の縦長帯状壁１６はカード収容枠１１の下辺部から上辺部寄り位置まで延びているので、これら横長帯状壁１８及び縦長帯状壁１６は、カード９０Ｗの前面における横方向全体と上下方向の略全体に亘って宛がわれることになる。また、第１及び第２の後側脱落防止壁１４，１５は、縦長帯状壁１６，１６同士の間及び縦長帯状壁１６とカード収容枠１１の側辺部１１Ｓとの間に配置されて、カード収容枠１１の下辺部から横長帯状壁１８寄り位置まで延びているので、これら第１及び第２の後側脱落防止壁１４，１５は、カード９０Ｗの後面における横方向と上下方向の略全体に亘って宛がわれることになる。これらにより、カード収容枠１１内に収容したカード９０Ｗの略全体を前後方向で挟んでカード９０Ｗの湾曲変形を防ぐことができる。
【００４８】
このように本実施形態のカードホルダー１０は、カード９０Ｗの湾曲変形を防いだ状態で保持することができ、従来より高い保持力でカード９０Ｗを保持することが可能になる。また、小型のカード９０Ｖは、前側脱落防止柵２０の後面側に設けた後面係止突部１７とカード収容枠１１の下辺部１１Ｄとで上下方向から挟んでカード収容枠１１内で安定させることができる。しかも、図６（Ｂ）に示すように、カード９０Ｗの前面は、前側脱落防止柵２０を通して露出するので、カード９０Ｗの前面に印字された情報を視認することができる。また、ＩＣタグである小型のカード９０Ｖにおいては、無線通信状態を良好に保つことができる。
【００４９】
さらに、図１（Ａ）に示すように、前側脱落防止柵２０の上端部を構成する横長帯状壁１８のうち、カード収容枠１１の各側辺部１１Ｓとの交差部１８Ｐ１を、縦長帯状壁１６との交差部１８Ｐ２より下方に配置したことで、横長帯状壁１８における両端の下段水平部１８Ａとカード収容枠１１の上辺部１１Ｕとの間に指を容易に挿入可能なスペースを設けることができる。これにより、カード９０Ｗをカードホルダー１０から取り出す場合には、カード９０Ｗのコーナー部に指を掛けて容易に取り出すことができる。
【００５０】
［第２実施形態］
本実施形態のカードホルダー１０Ｖは、図９に示されており、前記第１実施形態のカードホルダー１０のうち中央の縦長帯状壁１６を排除した構造になっている。そして、同図には、通常のカード９０Ｗと小型のカード９０Ｖとを併せてカード収容枠１１内に収容した状態が示されている。
【００５１】
本実施形態のカードホルダー１０Ｖによれば、カード９０Ｗ，９０Ｖの前面を比較的広く露出せることができる。
【００５２】
［第３実施形態］
本実施形態のカードホルダー１０Ｗは、図１０に示されており、前記第１実施形態のカードホルダー１０に対して屈曲部２１Ｖの構造のみが異なっている。このカードホルダー１０Ｗでは、横長帯状壁１８のうち下段水平部１８Ａと上段水平部１８Ｂとの間が、下段水平部１８Ａから斜め上方（例えば、斜め４５度上方）に延びた段差部１８Ｄになって屈曲部２１Ｖ，２１Ｖが構成されている。この構成によっても第１実施形態と同様の効果を奏する。なお、図１０には、カード収容枠１１に対応した通常のサイズでかつＩＣタグであるカード９０Ｘをカードホルダー１０Ｗが保持した状態が示されている。
【００５３】
［第４実施形態］
本実施形態のカードホルダー１０Ｘは、図１１に示されており、前記第１実施形態のカードホルダー１０に対して屈曲部２１Ｗの構造のみが異なっている。このカードホルダー１０Ｗでは、横長帯状壁１８のうち下段水平部１８Ａと上段水平部１８Ｂとの間が、下段水平部１８Ａから直角上方に延びた段差部１８Ｅが途中で円弧状に湾曲して上段水平部１８Ｂに連絡されて屈曲部２１Ｗ，２１Ｗが構成されている。この構成によっても第１実施形態と同様の効果を奏する。
【００５４】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５５】
（１）前記第１実施形態のカードホルダー１０では、後側上端角部壁１２の下端面１２Ｋと、第１及び第２の後側脱落防止壁１４，１５における上端面１４Ｊ，１５Ｊとが同じ高さに配置されていたが、後側上端角部壁の下端面より後側脱落防止壁の上端面を高い位置に配置してもよい。
【００５６】
（２）前記第１実施形態のカードホルダー１０における縦長帯状壁１６は、後面側に後面係止突部１７を有していたが、後面係止突部を設けず縦長帯状壁の後面を平坦にしてもよい。
【００５７】
（３）前記第１実施形態のカードホルダー１０はコンテナー１００に取り付けられていたが、パレットに取り付けてもよい。
【図面の簡単な説明】
【００５８】
【図１】（Ａ）本発明の第１実施形態に係るカードホルダーの前面側斜視図，（Ｂ）そのカードホルダーの後面側斜視図
【図２】カードホルダーを取り付けたコンテナーの斜視図
【図３】（Ａ）図１のＡ−Ａ切断面におけるカードホルダーの断面図，（Ｂ）図１のＢ−Ｂ切断面におけるカードホルダーの断面図，（Ｃ）図１のＣ−Ｃ切断面におけるカードホルダーの断面図
【図４】（Ａ）小型のカードの斜視図，（Ｂ）そのカードを保持したカードホルダーの斜視図
【図５】小型のカードをカード収容枠に挿入する過程を示した断面図
【図６】（Ａ）通常のカードをカード収容枠内に挿入する途中の斜視図，（Ｂ）そのカードを保持したカードホルダーの斜視図
【図７】通常のカードをカード収容枠内に挿入する途中の断面図
【図８】通常のカードを保持したカードホルダーの断面図
【図９】第２実施形態のカードホルダーの斜視図
【図１０】第３実施形態のカードホルダーの斜視図
【図１１】第４実施形態のカードホルダーの斜視図
【図１２】従来のカードホルダーの斜視図
【符号の説明】
【００５９】
１０，１０Ｖ，１０Ｗ，１０Ｘ  カードホルダー
１１    カード収容枠
１１Ｄ    下辺部
１１Ｓ    側辺部
１１Ｕ    上辺部
１２    後側上端角部壁
１３    前側下端角部壁
１４    第１の後側脱落防止壁
１５    第２の後側脱落防止壁
１６    縦長帯状壁
１７    後面係止突部
１７Ａ    傾斜面
１７Ｃ    後方押圧面
１８    横長帯状壁
１８Ｐ１  交差部
１８Ｐ２  交差部
２０    前側脱落防止柵
２１    クランク形屈曲部
９０Ｖ，９０Ｗ，９０Ｘ    カード
１００    コンテナー
【図１】
0004906166.tif 000002
【図２】
0004906166.tif 000003
【図３】
0004906166.tif 000004
【図４】
0004906166.tif 000005
【図５】
0004906166.tif 000006
【図６】
0004906166.tif 000007
【図７】
0004906166.tif 000008
【図８】
0004906166.tif 000009
【図９】
0004906166.tif 000010
【図１０】
0004906166.tif 000011
【図１１】
0004906166.tif 000012
【図１２】
0004906166.tif 000013